(57)【要約】【課題】カメラボディのみで安定した自立が可能なカメラを提供する。【解決手段】カメラボディ１２の側面に配置されたメディアカバー４０を開くと、メディアカバー４０の下縁部４０Ａが、カメラボディ１２の底面とともにカメラボディ１２を自立可能に支持する。【選択図】　図１
2004078048.tif 000002
【特許請求の範囲】
【請求項１】
カメラボディにメディア装着部を覆うカバー、端子を覆うカバー又はモニタを覆うカバーが開閉自在に設けられたカメラにおいて、
前記カバーを開いた状態で前記カメラボディを平坦な設置面に載置すると、前記カバーが前記カメラボディの底面とともに前記カメラボディを自立可能に支持することを特徴とするカメラ。
【請求項２】
前記カバーは、ほぼ矩形状に形成されて前記カメラボディの側面に設けられ、閉じられた状態で下縁部が前記カメラボディの底面の一部を構成するとともに、前記カメラボディの前面側又は背面側に開かれると、前記下縁部が前記カメラボディの底面とともに設置面に接触して前記カメラボディを自立可能に支持することを特徴とする請求項１に記載のカメラ。
【請求項３】
前記カバーが前記カメラボディの両側面に設けられ、一方が前記カメラボディの前面側に開かれるとともに、他方が前記カメラボディの背面側に開かれることを特徴とする請求項２に記載のカメラ。
【請求項４】
前記カバーの下縁部が上下動可能に設けられ、該下縁部を上下動させることにより、前記カメラボディの仰角を調整することを特徴とする請求項２に記載のカメラ。
【請求項５】
前記カバーは、前記カメラボディの底面に設けられ、閉じられた状態で前記カメラボディの底面の一部を構成するとともに、前記カメラボディの前面側又は背面側に開かれて、前記カメラボディの底面とともに設置面に接触して前記カメラボディを自立可能に支持することを特徴とする請求項１に記載のカメラ。
【請求項６】
前記カメラボディの底面から脚部材が出没自在に設けられ、該脚部材と前記カバーとで前記カメラボディを支持することにより、前記カメラボディの仰角を調整することを特徴とする請求項１、２、３又は５に記載のカメラ。
【請求項７】
前記カバーは、ほぼ矩形状に形成されて前記カメラボディの背面に設けられ、下縁部に沿って配置された揺動軸を中心に揺動して開閉され、開かれると、上縁部又は表面全体が前記カメラボディの底面とともに設置面に接触して前記カメラボディを自立可能に支持することを特徴とする請求項１に記載のカメラ。
【請求項８】
前記カバーは、任意の角度で停止可能に形成され、該カバーの停止角度を調整することにより、前記カメラボディの仰角を調整することを特徴とする請求項７に記載のカメラ。
【発明の詳細な説明】
【０００１】
【発明の属する技術分野】
本発明はカメラに係り、特にカメラボディの厚さが薄いコンパクトタイプのカメラに関する。
【０００２】
【従来の技術】
近年、コンパクトカメラは小型軽量化が進み、カメラボディ自体の厚さが極めて薄いものになっている。この種の薄型のコンパクトカメラでは、カメラボディのみで安定した自立が困難になっており、適当にカメラを置いて、セルフタイマー撮影等を行うということができなくなっている。このため、この種の薄型コンパクトカメラでは、セルフタイマー撮影等を行なう場合には三脚等を用いなければならなかった。
【０００３】
しかし、常に三脚を携帯することは不便であり、このような不具合を解消するために、特許文献１（実公平３−４８５７１号公報）では、カメラボディの底面に折り畳み可能な保持脚を設け、必要に応じて、この保持脚を引き出すことで、カメラボディを自立させることが提案されている。
【０００４】
また、特許文献２（特開平９−２４４１３５号公報）では、カメラボディの側面に折り畳み可能な脚片を設け、必要に応じて、この脚片を引き出すことで、カメラボディを自立させることが提案されている。
【０００５】
また、特許文献３（実開平５−８６０９５号公報）には、撮影時にグリップとして使用可能な折畳式の三脚が提案されている。
【０００６】
【特許文献１】
実公平３−４８５７１号公報
【０００７】
【特許文献２】
特開平９−２４４１３５号公報
【０００８】
【特許文献３】
実開平５−８６０９５号公報
【０００９】
【発明が解決しようとする課題】
しかしながら、特許文献１、２のカメラでは、カメラボディに別途保持脚や脚片を設ける必要があり、部品点数が増え、コスト高となる上に、構造的にも大袈裟なものになるという欠点がある。また、特許文献３では、常に三脚を携帯しなければならないという欠点がある。
【００１０】
本発明は、このような事情に鑑みてなされたもので、カメラボディのみで安定した自立が可能なカメラを提供することを目的とする。
【００１１】
【課題を解決するための手段】
請求項１に係る発明は、前記目的を達成するために、カメラボディにメディア装着部を覆うカバー、端子を覆うカバー又はモニタを覆うカバーが開閉自在に設けられたカメラにおいて、前記カバーを開いた状態で前記カメラボディを平坦な設置面に載置すると、前記カバーが前記カメラボディの底面とともに前記カメラボディを自立可能に支持することを特徴とするカメラを提供する。
【００１２】
また、請求項２に係る発明は、前記目的を達成するために、前記カバーは、ほぼ矩形状に形成されて前記カメラボディの側面に設けられ、閉じられた状態で下縁部が前記カメラボディの底面の一部を構成するとともに、前記カメラボディの前面側又は背面側に開かれると、前記下縁部が前記カメラボディの底面とともに設置面に接触して前記カメラボディを自立可能に支持することを特徴とする請求項１に記載のカメラを提供する。
【００１３】
また、請求項３に係る発明は、前記目的を達成するために、前記カバーが前記カメラボディの両側面に設けられ、一方が前記カメラボディの前面側に開かれるとともに、他方が前記カメラボディの背面側に開かれることを特徴とする請求項２に記載のカメラを提供する。
【００１４】
また、請求項４に係る発明は、前記目的を達成するために、前記カバーの下縁部が上下動可能に設けられ、該下縁部を上下動させることにより、前記カメラボディの仰角を調整することを特徴とする請求項２に記載のカメラを提供する。
【００１５】
また、請求項５に係る発明は、前記目的を達成するために、前記カバーは、前記カメラボディの底面に設けられ、閉じられた状態で前記カメラボディの底面の一部を構成するとともに、前記カメラボディの前面側又は背面側に開かれて、前記カメラボディの底面とともに設置面に接触して前記カメラボディを自立可能に支持することを特徴とする請求項１に記載のカメラを提供する。
【００１６】
また、請求項６に係る発明は、前記目的を達成するために、前記カメラボディの底面から脚部材が出没自在に設けられ、該脚部材と前記カバーとで前記カメラボディを支持することにより、前記カメラボディの仰角を調整することを特徴とする請求項１、２、３又は５に記載のカメラを提供する。
【００１７】
また、請求項７に係る発明は、前記目的を達成するために、前記カバーは、ほぼ矩形状に形成されて前記カメラボディの背面に設けられ、下縁部に沿って配置された揺動軸を中心に揺動して開閉され、開かれると、上縁部又は表面全体が前記カメラボディの底面とともに設置面に接触して前記カメラボディを自立可能に支持することを特徴とする請求項１に記載のカメラを提供する。
【００１８】
また、請求項８に係る発明は、前記目的を達成するために、前記カバーは、任意の角度で停止可能に形成され、該カバーの停止角度を調整することにより、前記カメラボディの仰角を調整することを特徴とする請求項７に記載のカメラを提供する。
【００１９】
本発明によれば、カバーを開いて、カメラボディを平坦な設置面に載置すると、カバーがカメラボディの底面とともにカメラボディを自立可能に支持する。カバーとして機能する部材でカメラボディを支持することにより、部品数を削減でき低コスト化を達成できる。
【００２０】
【発明の実施の形態】
以下、添付図面に従って本発明に係るカメラの好ましい実施の形態について説明する。
【００２１】
図１、図２は、それぞれ本発明に係るカメラの第１の実施の形態を示す正面斜図と背面斜視図である。このデジタルカメラ１０は、撮影レンズ１４を介して入射する被写体の光学像をＣＣＤ等の撮像素子によって電気信号に変換し、得られた電子画像データをメモリカードに記録するデジタルカメラである。
【００２２】
図１に示すように、カメラボディ１２は、扁平な直方体形状に形成されており、その前面には撮影レンズ１４の他、ファインダ窓１６、セルフタイマーランプ１８及びストロボ発光部２０が設けられ、上面にはシャッターボタン２２、電源ボタン２４及びモードレバー２６が設けられている。モードレバー２６は、カメラのモードを切り替えるレバーであり、電源ボタン２４の外周に回動自在に設けられている。ユーザは、このモードレバー２６を回動操作することにより、カメラのモードをスチル撮影を行う撮影モードと、撮影した画像を再生する再生モードとに設定できる。
【００２３】
一方、図２に示すように、カメラボディ１２の背面には、ファインダ接眼部２８、液晶モニタ３０、十字ボタン３２、メニュー／ＯＫボタン３４、バックボタン（ＢＡＣＫボタン）３５及び表示ボタン（ＤＩＳＰボタン）３６が設けられている。
【００２４】
十字ボタン３２は、左、右、上、下の四方向の指示を入力可能な多機能操作部であり、右キー及び左キーは、それぞれ再生モード時にコマ送りボタン、コマ戻しボタンとして機能するとともに、上キー及び下キーは、撮影モード時にズームキーとして機能する。また、十字ボタン３２は、メニュー／ＯＫボタン３４が押されることによって液晶モニタ３０に表示されるメニュー画面からメニュー項目を選択したり、各メニューにおける各種設定項目の選択を指示する操作ボタンとして機能する。
【００２５】
メニュー／ＯＫボタン３４は、各モードの通常画面からメニュー画面へ遷移させる時や、選択内容の確定、処理の実行（確認）指示の時などに使用され、バックボタン３５は、メニューから選んだ項目の取消（キャンセル）や一つ前の操作状態に戻る時などに使用される。
【００２６】
液晶モニタ３０は、撮影した画像の再生用モニタとして使用されるとともに、撮影モード時に画角確認用の電子ファインダーとして使用される。表示ボタン３６は、撮影モード時に、この液晶モニタ３０の表示のオン・オフの切り替えボタンとして機能する。
【００２７】
また、液晶モニタ３０は、十字ボタン３２を使用したメニューの選択や各メニューにおける各種設定項目の設定画面として使用されるとともに、撮影可能コマ数や再生コマ番号の表示、ストロボ発光の有無、マクロモード表示、記録画質表示、画素数表示等の表示画面としても使用される。
【００２８】
また、図１に示すように、カメラボディ１２の一方側の側面には、カメラボディ１２の側面に形成されたメディアスロット３８を保護するためのメディアカバー４０が開閉自在に設けられている。
【００２９】
このメディアカバー４０は、矩形状に形成されており、閉じられると、カメラボディ１２の一方側の側面に形成された凹部４２に嵌合される。凹部４２はメディアカバー４０の厚さと同じ厚さをもって形成されており、メディアカバー４０は、閉じられると、その表面がカメラボディ１２の側面と同一面上に位置する。また凹部４２は、カメラボディ１２の底面に貫通して形成されており、メディアカバー４０が閉じられると、メディアカバー４０の下縁部４０Ａがカメラボディ１２の底面を構成する。
【００３０】
メディアカバー４０は、その一方側の側縁部の上下に図示しない支軸が形成されており、この支軸をカメラボディ１２に形成された軸支持部４４、４４に軸支されて、揺動自在（約１８０度の範囲で揺動）に支持されている。そして、この支軸を中心にして揺動することにより、図１（ｂ）に示すように、カメラボディ１２の背面側に開かれる。
【００３１】
また、メディアカバー４０は、その他方側の側縁部に一対の爪４６、４６が突出して形成されており、この爪４６、４６が凹部４２の内壁面に形成された穴４８、４８に嵌入されることにより、閉じられた状態でロックされる。
【００３２】
一方、図２に示すように、カメラボディ１２の他方側の側面には、カメラボディ１２の側面に形成された電源入力端子５０、音声／映像出力端子（ＡＶ端子）５２、ＵＳＢ端子５４を保護するための端子カバー５６が開閉自在に設けられている。
【００３３】
この端子カバー５６は、メディアカバー４０と同様に矩形状に形成されており、閉じられると、カメラボディ１２の側面に形成された凹部５８に嵌合される。凹部５８は端子カバー５６の厚さと同じ厚さをもって形成されており、端子カバー５６は、閉じられると、その表面がカメラボディ１２の側面と同一面上に位置する。また凹部５８は、カメラボディ１２の底面に貫通して形成されており、端子カバー５６が閉じられると、端子カバー５６の下縁部５６Ａがカメラボディ１２の底面を構成する。
【００３４】
端子カバー５６は、その一方側の側縁部の上下に図示しない支軸が形成されており、この支軸をカメラボディ１２に形成された軸支持部６０、６０に軸支されて、揺動自在（約１８０度の範囲で揺動）に支持されている。そして、この支軸を中心にして揺動することにより、図２（ｂ）に示すように、カメラボディ１２の背面側に開かれる。
【００３５】
また、端子カバー５６は、その他方側の側縁部に一対の爪６２、６２が突出して形成されており、この爪６２、６２が凹部５８の内壁面に形成された穴６４、６４に嵌入されることにより、閉じられた状態でロックされる。
【００３６】
以上のように構成された本実施の形態のデジタルカメラ１０の作用は次のとおりである。
【００３７】
セルフタイマー撮影などのように三脚を使わずにカメラボディ１２を自立させて撮影する際は、図１（ｂ）及び図２（ｂ）に示すように、カメラボディ１２の側面に形成されたメディアカバー４０及び端子カバー５６をカメラボディ１２の背面側に開いて、カメラボディ１２を平坦な設置面に置く。
【００３８】
開かれたメディアカバー４０と端子カバー５６は、それぞれその下縁部４０Ａ、５６Ａがカメラボディ１２の底面を構成するように形成されていることから、カメラボディ１２の底面とともにカメラボディ１２を支持し、これにより、安定した状態でカメラボディ１２が自立する。
【００３９】
このように本実施の形態のデジタルカメラ１０によれば、メディアカバー４０及び端子カバー５６を利用してカメラボディ１２を支持することから、別途支持部材を設けることなくカメラボディ１２を自立させることができる。
【００４０】
なお、メディアカバー４０か端子カバー５６のいずれか一方だけをカメラボディ１２に設置し、一方だけでカメラボディ１２を支持するように構成しても、カメラボディ１２を安定して自立させることができる。
【００４１】
また、本実施の形態では、メディアカバー４０及び端子カバー５６を揺動させて開閉するように構成しているが、前面方向あるいは背面方向にスライドさせて開閉するように構成してもよい。
【００４２】
図３は、本発明に係るカメラの第２の実施の形態を示す正面斜視図である。なお、上述した第１の実施の形態のデジタルカメラ１０と同一部材には同一符号が付されている。
【００４３】
同図に示すように、本実施の形態のデジタルカメラ７０は、上述した第１の実施の形態のデジタルカメラ１０のメディアカバー４０をカメラボディ１２の前面側に開くように構成したものである（端子カバー５６はカメラボディ１２の背面側に開く。）。
【００４４】
カメラボディ１２を自立させて撮影する際は、図４に示すように、カメラボディ１２の一方側の側面に形成されたメディアカバー４０をカメラボディ１２の前面側に開き、他方側の側面に形成された端子カバー５６をカメラボディ１２の背面側に開く。
【００４５】
このように、メディアカバー４０と端子カバー５６を双方逆方向に開くことにより、より安定した状態でカメラボディ１２を支持することができる。
【００４６】
なお、メディアカバー４０をカメラボディ１２の背面側に開き、端子カバー５６をカメラボディ１２の前面側に開くようにしてもよい。
【００４７】
図５は、本発明に係るカメラの第３の実施の形態を示す側面図である。なお、上述した第１の実施の形態のデジタルカメラ１０と同一部材には同一符号が付されている。
【００４８】
同図に示すように、本実施の形態のデジタルカメラ８０は、自立させたカメラボディの仰角を調整できるようにしたものであり、カメラボディ１２の底面に脚片８２が出没自在に設けられている。この他の構成は、上述した第１の実施の形態のデジタルカメラ１０と同じである。
【００４９】
脚片８２は、合成樹脂等の弾性変形可能な材質のもので板状に形成されており、カメラボディ１２の底面の前端部近傍に形成された脚片収容穴８４に圧入されている（脚片収容穴８４内を移動可能な程度の圧力で圧入され、内壁面との摩擦で保持される。）。脚片収容穴８４の縁部には、切欠き８６が形成されており、脚片８４は、この切欠き８６を利用して、脚片収容穴８４から任意の長さが引き出される。
【００５０】
本実施の形態のデジタルカメラ８０によれば、カメラボディ１２の仰角を調整する際は、図５（ｂ）に示すように、カメラボディ１２の両側面に形成されたメディアカバー４０　（不図示）と端子カバー５６をカメラボディ１２の背面側に開いたのち、同図（ｃ）に示すように、カメラボディ１２の底面から脚片８２を引き出す。これにより、カメラボディ１２を傾けて設置することができる。この際、カメラボディ１２は、背面側をメディアカバー４０及び端子カバー５６で支持されることにより、安定した状態で自立することができる。
【００５１】
なお、カメラボディ１２の仰角の調整は、カメラボディ１２の底面から引き出す脚片８２の長さを調整することにより行なう。
【００５２】
図６は、本発明に係るカメラの第４の実施の形態を示す側面図である。なお、上述した第１の実施の形態のデジタルカメラ１０と同一部材には同一符号が付されている。
【００５３】
同図に示すように、本実施の形態のデジタルカメラ９０は、自立させたカメラボディの仰角を調整できるようにしたものであり、端子カバー５６及びメディアカバー４０　（不図示）の下縁部が上下動できるように構成されている。この他の構成は、上述した第１の実施の形態のデジタルカメラ１０と同じである。
【００５４】
図６に示すように、端子カバー５６の下部には、脚片９２が上下方向にスライド自在に設けられている。脚片９２は、合成樹脂等の弾性変形可能な材質のもので板状に形成されており、端子カバーの下縁部５６Ａに形成されたガイド溝９４に圧入されている（ガイド溝９４内を移動可能な程度の圧力で圧入され、周囲との摩擦で保持されている）。メディアカバー４０も同様の構成である。
【００５５】
本実施の形態のデジタルカメラ９０によれば、カメラボディ１２を直立させる場合は、図６（ａ）に示すように、まず、カメラボディ１２の両側面に形成されたメディアカバー４０　（不図示）と端子カバー５６を開く。そして、同図（ｂ）に示すように、カメラボディ１２が、直立するように、メディアカバー４０　（不図示）と端子カバー５６から脚片９２、９２を引き出す。これにより、カメラボディ１２は、カメラボディ１２の底面と、メディアカバー４０及び端子カバー５６の脚片９２、９２の下縁部に支持されて、安定した状態で自立する。
【００５６】
一方、カメラボディ１２を傾けて設置する場合は、同図（ｃ）に示すように、メディアカバー４０及び端子カバー５６の脚片９２、９２を縮める。これにより、カメラボディ１２は、所定量傾斜した状態で自立する。なお、カメラボディ１２の仰角の調整は、メディアカバー４０及び端子カバー５６から引き出す脚片９２の長さを調整することにより行なう。
【００５７】
図７は、本発明に係るカメラの第５の実施の形態を示す背面斜視図である。なお、上述した第１の実施の形態のデジタルカメラ１０と同一部材には同一符号が付されている。
【００５８】
同図に示すように、本実施の形態のデジタルカメラ１００では、端子カバー１０２とメディアカバー１０４が縦方向に揺動して開閉される。端子カバー１０２は、その基端部に軸受部１０２Ａが形成されており、この軸受部１０２Ａがカメラボディ１２に形成された回転軸１０６に回動自在に支持されている。
【００５９】
なお、軸受部１０２Ａと回転軸１０６との間には所定の摩擦が与えられており、端子カバー１０２は所定の摩擦抵抗を受けながら揺動する。これにより、端子カバー１０２を任意の角度位置で止めることができるようにされている。メディアカバー１０４も同様に構成されている。
【００６０】
本実施の形態のデジタルカメラ１００によれば、カメラボディ１２を自立させる場合は、図７（ｂ）に示すように、端子カバー１０２とメディアカバー１０４を開き、この端子カバー１０２とメディアカバー１０４をスタンドとして使用してカメラボディ１２を自立させる。
【００６１】
なお、上記のように端子カバー１０２とメディアカバー１０４は、任意の角度位置で止めることができるので、この端子カバー１０２とメディアカバー１０４の角度を調整することにより、自立させたカメラボディ１２の仰角を調整することができる。
【００６２】
図８は本発明に係るカメラの第６の実施の形態を示す背面斜視図である。なお、上述した第１の実施の形態のデジタルカメラ１０と同一部材には同一符号が付されている。
【００６３】
同図に示すように、本実施の形態のデジタルカメラ１１０では、メディアスロット３８がカメラボディ１２の底面に設けられており、このメディアスロット３８を保護するメディアカバー１１２がカメラボディ１２の底面に開閉自在に設けられている。
【００６４】
このメディアカバー１１２は、矩形の板状に形成されており、カメラボディ１２の底面に形成された凹部１１４に嵌合されて、底面の一部を構成している。そして、その両側面に形成された図示しないガイドコマが、凹部１１４の両側内壁面に形成されたガイド溝１１６、１１６にガイドされてスライド自在に支持されている。メディアスロット３８は、このメディアカバー１１２をカメラボディ１２の背面側にスライドさせることにより開けられる。
【００６５】
本実施の形態のデジタルカメラ１１０によれば、カメラボディ１２を自立させる場合は、図８（ｂ）に示すように、メディアカバー１１２を開く。そして、この状態で同図（ｃ）に示すようにカメラボディ１２を平坦な設置面に置く。これにより、カメラボディ１２は、カメラボディ１２の底面とメディアカバー１１２で支持されて、安定した状態で自立する。
【００６６】
なお、本実施の形態において、メディアカバー１１２はスライドして開閉するように構成されているが、揺動して開閉するように構成してもよい。この場合、メディアカバー１１２は、１８０度反転して、カメラボディ１２を支持するように構成する。
【００６７】
図９は、本発明に係るカメラの第７の実施の形態を示す背面斜視図である。なお、上述した第１の実施の形態のデジタルカメラ１０と同一部材には同一符号が付されている。
【００６８】
同図に示すように、本実施の形態のデジタルカメラ１２０には、カメラボディ１２の背面に液晶モニタ３０を保護するためのモニタカバー１２２が設けられている。
【００６９】
このモニタカバー１２２は、カメラボディ１２の背面に形成された凹部１２４に嵌合されており、その下端部両側面に形成された図示しない支軸をカメラボディ１２に形成された軸受部１２６、１２６に軸支されて開閉自在に設けられている。液晶モニタ３０は、このモニタカバー１２２に形成された透明な窓１２８を介して確認される。
【００７０】
なお、モニタカバー１２２の支軸と軸受部１２６との間には所定の摩擦が与えられており、モニタカバー１２２は所定の摩擦抵抗を受けながら揺動する。これにより、モニタカバー１２２を任意の角度位置で止めることができるようにされている。
【００７１】
本実施の形態のデジタルカメラ１２０によれば、カメラボディ１２を自立させる場合は、図９（ｂ）に示すように、モニタカバー１２２を開き、このモニタカバー１２２をスタンドとして使用してカメラボディ１２を自立させる。
【００７２】
なお、上記のようにモニタカバー１２２は、任意の角度位置で止めることができるので、このモニタカバー１２２の角度を調整することにより、自立させたカメラボディ１２の仰角を調整することができる。
【００７３】
以上一連の実施の形態で説明したように、本発明に係るカメラによれば、カメラボディ１２に設けられた各種カバーを利用して、カメラボディ１２を自立させるように構成しているので、別途支持部材等を備える必要がない。これにより、部品数の削減と低コスト化を達成することができる。
【００７４】
なお、本実施の形態では、本発明をデジタルカメラに適用した例で説明したが、銀塩カメラにも同様に適用することができる。
【００７５】
【発明の効果】
以上説明したように、カバーとして機能する部材でカメラボディを支持することにより、部品数を削減でき低コスト化を達成できる。
【図面の簡単な説明】
【図１】本発明に係るカメラの第１の実施の形態を示す正面斜視図
【図２】本発明に係るカメラの第１の実施の形態を示す背面斜視図
【図３】本発明に係るカメラの第２の実施の形態を示す正面斜視図
【図４】本発明に係るカメラの第２の実施の形態を示す平面図
【図５】本発明に係るカメラの第３の実施の形態を示す側面図
【図６】本発明に係るカメラの第４の実施の形態を示す側面図
【図７】本発明に係るカメラの第５の実施の形態を示す背面斜視図
【図８】本発明に係るカメラの第６の実施の形態を示す背面斜視図
【図９】本発明に係るカメラの第７の実施の形態を示す背面斜視図
【符号の説明】
１０…デジタルカメラ、１２…カメラボディ、１４…撮影レンズ、１６…ファインダ窓、１８…セルフタイマーランプ、２０…ストロボ発光部、２２…シャッターボタン、２４…電源ボタン、２６…モードレバー、２８…ファインダ接眼部、３０…液晶モニタ、３２…十字ボタン、３４…メニュー／ＯＫボタン、３５…バックボタン（ＢＡＣＫボタン）、３６…表示ボタン（ＤＩＳＰボタン）、３８…メディアスロット、４０…メディアカバー、４０Ａ…メディアカバーの下縁部、４２…凹部、４４…軸支持部、４６…爪、４８…穴、５０…電源入力端子、５２…音声／映像出力端子（ＡＶ端子）、５４…ＵＳＢ端子、５６…端子カバー、５６Ａ…端子カバーの下縁部、５８…凹部、６０…軸支持部、６２…爪、６４…穴、７０…デジタルカメラ、８０…デジタルカメラ、８２…脚片、８４…脚片収容穴、８６…切欠き、９０…デジタルカメラ、９２…脚片、９４…ガイド溝、１００…デジタルカメラ、１０２…端子カバー、１０２Ａ…軸受部、１０４…メディアカバー、１０６…回転軸、１１０…デジタルカメラ、１１２…メディアカバー、１１４…凹部、１１６…ガイド溝、１２０…デジタルカメラ、１２２…モニタカバー、１２４…凹部、１２６…軸受部、１２８…窓
【図１】
2004078048.tif 000003
【図２】
2004078048.tif 000004
【図３】
2004078048.tif 000005
【図４】
2004078048.tif 000006
【図５】
2004078048.tif 000007
【図６】
2004078048.tif 000008
【図７】
2004078048.tif 000009
【図８】
2004078048.tif 000010
【図９】
2004078048.tif 000011